(57)【要約】【課題】複数のユーザに平等に落書きの機会を与えることができるようにする。【解決手段】カメラによって撮影された被写体は、回転テーブル３０に配置された編集モニタ７０−１、７０−２、および７０−３に表示される。複数のユーザは、タッチペン６３−１、６３−２、および６３−３と、編集パネル６４−１、６４−２、および６４−３を用いて、編集モニタ７０−１、７０−２、および７０−３に表示された被写体に対して、落書き処理を行う。回転テーブル３０は、所定の速度で回転する。それぞれのユーザは、移動することなく、編集モニタ７０−１、７０−２、および７０−３に表示された画像を交換して落書きを行うことができる。本発明は、写真シール販売機に適用することができる。【選択図】　　　図１８
2004126405.tif 000002
【特許請求の範囲】
【請求項１】
被写体を撮影する撮影手段と、
前記撮影手段により撮影された前記被写体の画像を表示する表示手段と、
前記表示手段により表示された前記画像に対して落書き入力をする落書き入力手段と、
前記落書き入力手段により落書きが入力された前記画像を写真シールに印刷する印刷手段とを備え、
前記表示手段は、回転する複数の表示画面に前記画像を表示させ、
前記落書き入力手段は、前記複数の表示画面と同一か、それより多い数だけ、回転する前記複数の表示画面に対して相対的に固定されて設けられている
ことを特徴とする写真シール販売機。
【請求項２】
前記複数の表示画面は、水平面内で回転する回転テーブル上の所定の固定された位置に設けられている
ことを特徴とする請求項１に記載の写真シール販売機。
【請求項３】
前記複数の表示画面は、回転する円錐台形状の側面に設けられている
ことを特徴とする請求項１に記載の写真シール販売機。
【請求項４】
前記表示手段は、固定された表示部上で、前記表示画面を回転させる
ことを特徴とする請求項１、２または３に記載の写真シール販売機。
【請求項５】
写真シール販売機の写真シール印刷方法において、
被写体を撮影し、
撮影された前記被写体の画像を複数の表示画面に表示し、
複数の前記表示画面を回転し、
表示された前記画像に対して、複数の前記表示画面と同一か、それより多い数の入力部であって、回転する複数の前記表示画面に対して相対的に固定されて設けられている入力部から落書き入力を行い、
落書き入力された前記画像を写真シールに印刷する
ことを特徴とする写真シール印刷方法。
【請求項６】
被写体を撮影する撮影手段と、
前記撮影手段により撮影された前記被写体の画像を回転する複数の表示画面に表示する表示手段と、
前記表示手段により回転する複数の前記表示画面に表示された前記画像に対して落書き入力を行う落書き入力手段と、
前記落書き入力手段により落書き入力された複数の前記表示画面に表示された前記画像を写真シールに印刷する印刷手段と、
前記印刷手段により、前記画像が印刷された前記写真シールを排出する排出手段と
を備えることを特徴とする写真シール作成装置。
【請求項７】
被写体を撮影し、
撮影された前記被写体の画像を回転する複数の表示画面に表示し、
回転する複数の前記表示画面に表示された前記画像に対して落書き入力を行い、
落書き入力された前記画像を写真シールに印刷し、
前記画像が印刷された前記写真シールを排出する
ことを特徴とする写真シール作成方法。
【発明の詳細な説明】
【０００１】
【発明の属する技術分野】
本発明は、写真シール販売機および写真シール印刷方法、写真シール作成装置および方法に関し、特に、複数のユーザが平等に落書き入力を行うことができるようにする写真シール販売機および写真シール印刷方法、写真シール作成装置および方法に関する。
【０００２】
【従来の技術】
従来、ユーザの画像を撮影し、これを予め用意された背景画像と合成して写真シール紙に印刷して出力する写真シール販売機（いわゆる、プリント倶楽部（商標））が知られている。
【０００３】
例えば、本出願人が先に提案した特許文献１には、このような写真シール販売機において、複数のユーザによって撮影され、２つの編集画面に表示されている画像に対して、タッチペンおよび編集パネルを用いて、文字、図形などを書き込むことができるようにすることが開示されている。
【０００４】
【特許文献１】
特許第３１９６８９７号公報
【０００５】
【発明が解決しようとする課題】
しかしながら、特許文献１に記載されている写真シール販売機においては、固定されている２つの編集画面に表示されている画像に対して落書きを行うものであり、落書きを効率的に入力することができる反面、他のユーザが落書きを行っている画像に対して、自分自身も落書きを行いたいと思う場合、他のユーザが長時間、落書きを行っていると、結局、落書きを行うことができなくなってしまう事態が発生するという課題があった。
【０００６】
本発明はこのような状況に鑑みてなされたものであり、複数のユーザに平等に落書きの機会を与えることができるようにするものである。
【０００７】
【課題を解決するための手段】
本発明の写真シール販売機は、被写体を撮影する撮影手段と、撮影手段により撮影された被写体の画像を表示する表示手段と、表示手段により表示された画像に対して落書き入力をする落書き入力手段と、落書き入力手段により落書きが入力された画像を写真シールに印刷する印刷手段とを備え、表示手段は、回転する複数の表示画面に画像を表示させ、落書き入力手段は、複数の表示画面と同一か、それより多い数だけ、回転する複数の表示画面に対して相対的に固定されて設けられていることを特徴とする。
【０００８】
本発明においては、被写体の画像が複数の表示画面に表示され、回転される。
【０００９】
これにより、複数のユーザに平等に落書きの機会を与えることができる。
【００１０】
撮影手段は、例えば、ＣＣＤ、ＣＭＯＳ等の撮像素子を含むカメラにより構成され、表示手段は、例えば、ＣＣＤ、ＣＲＴ等のモニタにより構成される。落書き入力手段は、例えば、タッチペンにより構成される。印刷手段は、例えば、プリンタユニットにより構成される。
【００１１】
複数の表示画面は、水平面内で回転する回転テーブル上の所定の固定された位置に設けたり、回転する円錐台形状の側面に設けることができる。
【００１２】
これにより、複数のユーザは、移動することなく、落書きをしようとする画像を交換することができる。
【００１３】
ＬＣＤ、ＣＲＴ等を回転するのではなく、ＬＣＤ、ＣＲＴ等よりなる表示部を固定しておき、固定された表示部上で、表示画面だけを回転させることができる。この場合、物理的な回転機構が不要となるので、構成が簡略化され、低コスト化が可能となる。この場合における回転は、連続的でもよいし、間欠的でもよい。表示画面を間欠的に回転させる場合、表示部も、連続的に配置する必要がなく、間欠的でよいので、低コスト化することができる。
【００１４】
本発明の写真シール印刷方法は、撮影された被写体の画像を複数の表示画面に表示し、複数の表示画面を回転し、表示された画像に対して、複数の表示画面と同一か、それより多い数の入力部であって、回転する複数の表示画面に対して相対的に固定されて設けられている入力部から落書き入力を行い、落書き入力された画像を写真シールに印刷することを特徴とする。
【００１５】
本発明においては、被写体の画像が複数の表示画面に表示され、回転される。
【００１６】
したがって、写真シール販売機と同様の効果を奏することができる。
【００１７】
各処理は、例えば、ＣＰＵによりソフトウエアを実行させることで実現することができる。
【００１８】
本発明の写真シール作成装置は、被写体を撮影する撮影手段と、撮影手段により撮影された被写体の画像を回転する複数の表示画面に表示する表示手段と、表示手段により回転する複数の表示画面に表示された画像に対して落書き入力を行う落書き入力手段と、落書き入力手段により落書き入力された複数の表示画面に表示された画像を写真シールに印刷する印刷手段と、印刷手段により、画像が印刷された写真シールを排出する排出手段とを備えることを特徴とする。
【００１９】
本発明においては、被写体の画像が、回転する表示画面に表示され、写真シールに印刷されて排出される。
【００２０】
したがって、複数のユーザに、平等に落書きの機会を与え、落書きされた写真シールをユーザに提供することができる。
【００２１】
撮影手段は、例えば、ＣＣＤ、ＣＭＯＳ等の撮像素子を含むカメラにより構成され、表示手段は、例えば、ＣＣＤ、ＣＲＴ等のモニタにより構成される。落書き入力手段は、例えば、タッチペンにより構成される。印刷手段は、例えば、プリンタユニットにより構成される。
【００２２】
排出手段は、写真シールを排出するシール取り出し口により形成される。
【００２３】
本発明の写真シール作成方法は、被写体を撮影し、撮影された被写体の画像を回転する複数の表示画面に表示し、回転する複数の表示画面に表示された画像に対して落書き入力を行い、落書き入力された画像を写真シールに印刷し、画像が印刷された写真シールを排出することを特徴とする。
【００２４】
本発明においては、被写体の画像が、回転する表示画面に表示され、写真シールに印刷されて排出される。
【００２５】
したがって、複数のユーザに、平等に落書きの機会を与え、落書きされた写真シールをユーザに提供することができる。
【００２６】
各処理は、例えば、ＣＰＵによりソフトウエアを実行させることで実現することができる。
【００２７】
【発明の実施の形態】
以下、図を参照して、本発明の実施の形態について説明する。
【００２８】
図１は、本発明を適用した写真シール販売機の外観の構成例を示す斜視図である。
【００２９】
写真シール販売機１の筐体１０の前面上方には、筐体１０とほぼ垂直に面１０Ａが設けられている。面１０Ａには、スピーカ１１が設けられている。スピーカ１１は、ユーザに対して、硬貨を投入してからの撮影手順の進行を案内するガイダンスを出力する。
【００３０】
面１０Ａの下部には、筐体１０にほぼ垂直に（若干上方を向いて）面１０Ｂが設けられている。面１０Ｂには、その左右に照明装置１２が設けられている。照明装置１２は、撮影の際のフラッシュとして機能するとともに、筐体１０およびユーザを囲む図示せぬ背景幕により外光が遮断されているため、撮影前の状態においてもユーザを照明する。
【００３１】
左右の照明装置１２の間には、ユーザを撮影するためのＣＣＤ（Ｃｈａｒｇｅ　Ｃｏｕｐｌｅｄ　Ｄｅｖｉｃｅ）撮像素子、ＣＭＯＳ（Ｃｏｍｐｌｅｍｅｎｔａｒｙ　Ｍｅｔａｌ　Ｏｘｉｄｅ　Ｓｅｍｉｃｏｎｄｕｃｔｏｒ）撮像素子などからなるカメラ１４が設けられている。カメラ１４が撮影している取り込み画像は、カメラ１４の下方に設けられた取り込み画像表示部１５に表示される。カメラ１４と取り込み画像表示部１５により撮影装置１６が構成される。ユーザは、身長、姿勢などに合うように足リモートコントローラ（足リモコン２０と称する）を操作して駆動装置１７の駆動可能範囲内で、撮影装置１６を上下方向に移動させることができる。
【００３２】
面１０Ｂの下部には、筐体１０の斜め上方を向いて面１０Ｃが設けられている。面１０Ｃには、操作パネル１３が設けられている。操作パネル１３は、液晶ディスプレイまたはＣＲＴ（Ｃａｔｈｏｄｅ　Ｒａｙ　Ｔｕｄｅ）より構成されるモニタと、その上部に積層されるタッチパネルから構成される。操作パネル１３には、画像プリントの作成および印刷処理の進行段階に応じて種々の選択ボタン、メッセージなどが表示され、操作パネル１３に表示された選択ボタンをユーザが選択することにより撮影手順が進行される。
【００３３】
面１０Ｃの下部には、筐体１０とほぼ垂直に面１０Ｄが設けられている。面１０Ｄには、その上部に硬貨投入口１８が設けられている。ユーザが所定の代金を硬貨投入口１８に投入すると、撮影手順が開始される。
【００３４】
筐体１０の右側面１０Ｅには、シール取出口１９が設けられており、撮影し、落書きされた撮影画像が、所定数に分割された写真シールに印刷されて排出される。
【００３５】
図２は、写真シール販売機１の筐体１０を中央で垂直に切断した状態を示す断面図である。
【００３６】
カメラ１４の後方は壁３６で仕切られ、空間１０Ｓが形成されている。壁３６の下部には、ユーザが椅子として使用する半円筒形の部材３３が設けられている。部材３３の図中右側の上端部近傍には、ピン３５−２によって、断面が略円形の半楕円形のパイプ３４と結合されている。やはり、ユーザが椅子として使用するパイプ３４は、ピン３５−２を中心として、水平（床面と平行）な位置（Ｂ）から地面と垂直な位置（Ａ）まで回動可能である。
【００３７】
筐体１０の背面の中央下部には、支柱３２が設けられている。支柱３２の上部には、水平に固定テーブル３１が設けられている。固定テーブル３１の上面には、水平に回転する回転テーブル３０が設けられている。回転テーブル３０および固定テーブル３１の詳しい構成については、図１８を参照して後述する。
【００３８】
図３は、写真シール販売機１の筐体１０を後方から見た状態を示す図である。図３においては、パイプ３４が床面と垂直な位置に回動した状態とされている。
【００３９】
部材３３は、図中、左側上部先端および右側上部先端で、それぞれピン３５−１およびピン３５−２によってパイプ３４と結合されている。部材３３の左側上部先端および右側上部先端は、それぞれ、溝を有している。また、パイプ３４の左右両先端部には、ピン３５−１およびピン３５−２の径より若干大きい径の貫通孔が形成されており、溝にパイプ３４が挿入された状態でパイプ３４の貫通孔にピン３５−１およびピン３５−２が、それぞれ挿入されることによって、部材３３とパイプ３４とが結合されている。
【００４０】
図４は、写真シール販売機１の筐体１０を上方から見た状態を示す図である。図４においては、パイプ３４が水平な位置に回動している状態を示している。
【００４１】
図５は、写真シール販売機１の内部の構成例を示すブロック図である。
【００４２】
制御装置５１は、パーソナルコンピュータなどにより構成され、写真シール販売機１の全体の動作を制御する。具体的には、制御装置５１に設けられているＣＰＵ（Ｃｅｎｔｒａｌ　Ｐｒｏｃｅｓｓｉｎｇ　Ｕｎｉｔ）１０１により、ＲＯＭ（Ｒｅａｄ　Ｏｎｌｙ　Ｍｅｍｏｒｙ）１０２やハードディスクなどにより構成される記憶部１０６（いずれも図６）に記憶されているプログラムに基づく処理が実行される。
【００４３】
撮影装置１６は、カメラ１４と取り込み画像表示部１５とから構成される。カメラ１４が被写体としてのユーザを撮影している取り込み画像は、取り込み画像表示部１５に表示される。駆動装置１７は、制御装置５１の制御により、駆動可能範囲内で、撮影装置１６を上下方向に移動させる。
【００４４】
硬貨処理部５２は、ユーザにより所定の代金が硬貨投入口１８に投入されたとき、それを検出し、制御装置５１に通知する。照明制御部５３は、制御装置５１からの指示に基づいて、撮影装置１６により被写体が撮影されるタイミングに合わせて照明装置１２を制御し、フラッシュ光を出射させる。出射されたフラッシュ光は、被写体（ユーザ）を照明する。
【００４５】
写真シール販売機１の面１０Ｃに設けられている操作パネル１３にはタッチパネルが積層されている。タッチパネルにより取得されたユーザからの指示は制御装置５１に入力される。
【００４６】
音声出力装置５４は、制御装置５１の指示に基づいて記憶部１０６に記憶されている音声ガイダンスを読み出してスピーカ１１に出力する。スピーカ１１がユーザに対して出力する音声ガイダンスには、操作方法や、撮影直前のカウントダウンなどがある。
【００４７】
テーブル駆動装置５５は、撮影装置１６による撮影処理が終了した後、制御装置５１の制御により、予め決められた時間だけ回転テーブル３０を回転させる。
【００４８】
プリンタユニット５６は、プリンタ部８１と制御タグリーダライタ８２により構成される。プリンタユニット５６に装着されるシール紙ユニット５７は、シール紙９１と、個々のシール紙ユニット５７を識別する識別情報等を管理する制御タグ９２により構成される。
【００４９】
プリンタ部８１は、落書き処理等が施された画像データが制御装置５１から供給されたとき、供給された画像データにより表される画像を、ユーザにより選択された画像のサイズおよび分割数に従って、シール紙９１に印刷し、シール紙９１をシール取り出し口１９に排出する。
【００５０】
制御タグリーダライタ８２は、制御タグ９２に記憶されている識別情報を接触または非接触により読み出し、制御装置５１に出力する。制御装置５１は、制御タグリーダライタ８２から供給された識別情報に基づいて、装着されているシール紙ユニット５７が、写真シール販売機１において利用可能なユニットであるか否かを判定し、利用可能なユニットであると判定したときにのみ、プリンタ部８１を動作可能にする。すなわち、制御装置５１により、写真シール販売機１において利用可能とされるシール紙ユニットの識別情報が管理されている。
【００５１】
これにより、写真シール販売機１に対応していない（純正のものでない）シール紙が利用されるのを抑制することができる。また、制御タグ９２により、シール紙９１の残量等も管理される。なお、シール紙ユニット５７が純正のものであるか否かを、シール紙ユニット５７にプリントされているバーコードなどにより確認させるようにしてもよい。
【００５２】
この実施形態においては、３個の編集モニタが設けられている。編集モニタ７０−１は、表示プロセッサ６０−１、モニタ６１−１、およびタッチパネル６２−１で構成されている。同様に、編集モニタ７０−２は、表示プロセッサ６０−２、モニタ６１−２、およびタッチパネル６２−２で構成され、編集モニタ７０−３は、表示プロセッサ６０−３、モニタ６１−３、およびタッチパネル６２−３で構成されている。
【００５３】
本実施形態においては、さらに、編集モニタ７０−１乃至７０−３と同様の、すなわち、３個の編集パネル６４−１乃至６４−３と、３個のタッチペン６３−１乃至６３−３が、それぞれ設けられている。
【００５４】
詳細は、図１８を参照して後述するが、編集モニタ７０−１、７０−２、７０−３は、回転テーブル３０に設けられ、編集パネル６４−１、６４−２、６４−３は、固定テーブル３１に設けられている。タッチペン６３−１、６３−２、６３−３は、それぞれ編集パネル６４−１、６４−２、６４−３に対応して、固定テーブル３１に取り付けられている。
【００５５】
表示プロセッサ６０−１は、内部にカメラ１４の撮影画像を記憶するためのフレームバッファを有する。フレームバッファは、デュアルポートメモリにより構成され、それぞれの領域が１枚分の撮影画像を記憶できる２つの領域に分けて使用される。フレームバッファの第１の領域には、カメラ１４からの取り込み画像が入力され、撮影後は、撮影した画像（ユーザがフレーム画像を選択した場合には、撮影画像とフレーム画像）が記憶される。
【００５６】
一方、第２の領域は、落書き処理やスタンプ処理などの編集処理において使用される記憶領域であり、撮影が終了した時点では、第１の領域と同一の撮影画像が記憶される。すなわち、編集処理において、ユーザがタッチペン６３−１を利用して落書きを入力するか、もしくは、編集パネル６４−１を利用してスタンプ処理を実行すると、それぞれの入力データは、第２の領域内に書き込まれる。
【００５７】
なお、ユーザは、消しゴム処理を指定することにより、１度付加した落書きを消去し、元の画像に戻すことができる。その場合、表示プロセッサ６０−１は、その消しゴムで指定された部分の画像データを第１の領域から読み出し、第２の領域に書き込むことにより、ユーザが消しゴムで指定した部分を、落書き処理およびスタンプ処理を行う前の撮影画像にもどす。
【００５８】
編集モニタ７０−１においては、透明なタッチパネル６２−１は、モニタ６１−１の上に積層されている。モニタ６１−１には、上記の表示プロセッサ６０−１のフレームバッファの第２の領域に記憶されたデータが表示される。したがって、ユーザが落書きなどを入力している最中は、落書きなどが施された撮影画像が、モニタ６１−１に表示される。
【００５９】
タッチパネル６２−１は、タッチペン６３−１、６３−２、または、６３−３からの入力を検出する。すなわち、ユーザは、モニタ６１−１に表示された撮影画像に対して、タッチペン６３−１、６３−２、または、６３−３を使用して、その上に落書き処理およびスタンプ処理を行うことができる。
【００６０】
図示は省略するが、編集パネル６４−１もモニタと、その上に積層された透明なタッチパネルにより構成される。編集パネル６４−１は、対応するタッチペンであるタッチペン６３−１からの入力のみを検出し、対応しないタッチペン６３−２、６３−３からの入力は検出しない（検出できるようにしてもよいが）
【００６１】
タッチパネル６２−１により検出されたデータと、編集パネル６４−１により検出されたデータは、表示プロセッサ６０−１に供給される。
【００６２】
編集モニタ７０−２、７０−３、表示プロセッサ６０−２、６０−３、モニタ６１−２、６１−３、タッチパネル６２−２、６２−３、タッチペン６３−２、６３−３、および編集パネル６４−２、６４−３の構成は、それぞれ、編集モニタ７０−１、表示プロセッサ６０−１、モニタ６１−１、タッチパネル６２−１、タッチペン６３−１、および編集パネル６４−１と同様であるため、その説明は省略する。
【００６３】
制御装置５１にはまた、落書き選択パネル１９０が接続されている。この落書き選択パネル１９０も、モニタとタッチパネルにより構成されている。
【００６４】
図６は、図５の制御装置５１の詳細な構成例を示すブロック図である。
【００６５】
ＣＰＵ１０１は、ＲＯＭ１０２に記憶されているプログラム、または、記憶部１０６からＲＡＭ（Ｒａｎｄｏｍ　Ａｃｃｅｓｓ　Ｍｅｍｏｒｙ）１０３にロードされたプログラムに従って各種の処理を実行する。ＲＡＭ１０３にはまた、ＣＰＵ１０１が各種の処理を実行する上において必要なデータなどが適宜記憶される。
【００６６】
ＣＰＵ１０１、ＲＯＭ１０２、およびＲＡＭ１０３は、バス１０４を介して相互に接続されている。バス１０４にはまた、入出力インタフェース１０５も接続されている。
【００６７】
入出力インタフェース１０５には、図５に示される、操作パネル１３、撮影装置１６、駆動装置１７、硬貨処理部５２、照明制御部５３、音声出力装置５４、テーブル駆動装置５５、プリンタユニット５６、タッチペン６３、編集パネル６４、および編集モニタ７０が接続されている。
【００６８】
なお、タッチペン６３は、タッチペン６３−１乃至６３−３を個々に区別する必要がない場合に行われる表現である。その関係は、編集パネル６４、編集モニタ７０、その他においても同様である。
【００６９】
記憶部１０６は、例えば、ハードディスクで構成され、ＣＰＵ１０１により実行されるプログラムの他、撮影装置１６により取り込まれている被写体の画像と合成する背景画像のデータや、撮影して得られた画像のデータなどを記憶する。後述するように、撮影処理においては、所定の回数だけ撮影を行うことができるようになされており、記憶部１０６には、撮影回数に対応する数の画像のデータが記憶される。
【００７０】
入出力インタフェース１０５にはまた、必要に応じてドライブ１０７が接続され、磁気ディスク１２１、光ディスク１２２、光磁気ディスク１２３、あるいは半導体メモリ１２４などが適宜装着され、それらから読み出されたコンピュータプログラムや背景画像データが必要に応じて記憶部１０６に保存される。
【００７１】
次に、図７および図８のフローチャートを参照して、写真シール販売機１の印刷処理について説明する。また、各ステップの処理を説明する際、必要に応じて、図９乃至図１６に示す操作パネル１３の表示例を参照する。図に示されている各種ボタンを説明する場合、同一機能を有するボタンには、同一符号を付してあり、説明が重複するものについては、その説明を適宜省略する。
【００７２】
ステップＳ１において、操作パネル１３は、制御装置５１のＣＰＵ１０１からの指示に基づいてデモ画面を表示する。操作パネル１３には、例えば、図９に示されるデモ画面が表示される。デモ画面のデータは、記憶部１０６から読み出され、入出力インターフェイス１０５を介して操作パネル１３に送られる。
【００７３】
ステップＳ２において、ＣＰＵ１０１は、硬貨処理部５２からの通知に基づいて、代金が投入されたか否かを判定する。ＣＰＵ１０１は、代金が硬貨投入口１８に投入されたと判定するまで操作パネル１３にデモ画面（図９）を表示させ、代金が投入されたと判定した場合、処理はステップＳ３に進む。
【００７４】
ステップＳ３において、操作パネル１３には、ＣＰＵ１０１からの指示に基づいて、例えば、図１０に示されるような説明画面が表示される。図１０に示される操作パネル１３には、画面の左側にカメラ１４がリアルタイムで撮影している取り込み画像が、それぞれ、フリー撮影ボタン１３１を選択した場合とアップ撮影ボタン１３２を選択した場合でどのように撮影されるかが表示されている。
【００７５】
画面の中央上部には、取り込み画像を横長に表示するか、または縦長に表示するかを選択するよこながボタン１３３、およびたてながボタン１３４が表示されている。よこながボタン１３３、およびたてながボタン１３４の下部には、カメラ１４のズーム機能を調整するズームダウンボタン１３５、およびズームアップボタン１３６が表示されている。ズームダウンボタン１３５、およびズームアップボタン１３６の下部には、カメラ１４が取り込む光量を調整する光量ダウンボタン１３７、および光量アップボタン１３８が表示されている。
【００７６】
画面の右側には、足リモコン２０を操作してカメラ１４を含む撮影装置１６を上下方向に移動できることが表示されている。カメラ１４により撮影されている（取り込まれている）取り込み画像は、取り込み画像表示部１５に転送されて表示される。また、図１０において表示される説明画面にあわせて、音声出力装置５４は、スピーカ１１から音声ガイダンスを出力する。
【００７７】
ステップＳ４において、操作パネル１３には、ＣＰＵ１０１からの指示に基づいて、例えば、図１１に示されるような取り込み画像が表示される。取り込み画像の下部には、撮影開始ボタン１４１が表示されている。すでに撮影した撮影画像のうち、ユーザが後述するキープボタンを操作してキープ画像を選択している場合、操作パネル１３には図１２に示されるようなキープ画像が表示される。なお、ユーザは、１枚のシールシートに最大４種類の撮影画像をプリントできるので、最大４種類の画像をキープすることができる。
【００７８】
図１２において、ユーザは操作パネル１３に表示されている撮像画像を指で触れて選択した後、画面の左側に表示されている削除ボタン１６１を指で触れて選択することにより、すでに撮影した画像を削除することができる。また、画面の下部には、撮影開始ボタン１４１が、そして、画面の右側には撮影までの残り時間を示す残り時間メータ１５０が表示される。
【００７９】
ステップＳ５において、ＣＰＵ１０１は、操作パネル１３からの通知に基づいて、撮影開始ボタン１４１が操作されたか否かを判定する。ＣＰＵ１０１は、撮影開始ボタン１４１が操作されたと判定されるまで取り込み画像を表示させて待機し、撮影開始ボタン１４１が操作されたと判定された場合、処理はステップＳ６に進む。
【００８０】
ステップＳ６において、ＣＰＵ１０１は、操作パネル１３に、撮影前のカウントダウン画面を表示させる。図１３は、このカウントダウン画面の表示例を表している。カウントダウン画面の左側には、カウントダウンインジゲータ１４２が表示される。ＣＰＵ１０１は、カウントダウンインジゲータ１４２の１番上から各マークを順次点灯させる。カウントダウンインジゲータ１４２の１番下のマークが点灯されたとき、ＣＰＵ１０１は、カメラ１４に撮影を実行させる。また、ＣＰＵ１０１は、カウントダウンインジゲータ１４２の点灯にあわせて、音声出力装置５４に、スピーカ１１から音声ガイダンスによるカウントダウンを出力させる。
【００８１】
また、カメラ１４の取り込み画像は、カメラ１４の下方に設けられている取り込み画像表示部１５にも表示される。これにより、ユーザは、操作パネル１３に視線を向けることなく、カメラ１４に視線をあわせて撮影することができる。
【００８２】
ステップＳ７において、ＣＰＵ１０１は、操作パネル１３に、印刷写真選択画面を表示させる。すなわち、操作パネル１３には、例えば、図１４に示されるように、それまでに撮影した撮影画像のうち、プリント（キープ）する画像が選択するために表示され、ユーザは、指で触れることにより撮影画像をプリント対象画像としてキープすることができる。ＣＰＵ１０１は、操作パネル１３からの通知に基づいて、ユーザが撮影画像をプリント（キープ）したと判定した場合、処理をステップＳ８に進める。
【００８３】
ステップＳ８において、ＣＰＵ１０１は、操作パネル１３に、明るさ調整画面を表示させる。すなわち、操作パネル１３には、例えば、図１５に示されるように、ステップＳ７の処理で印刷することが選択された撮影画像が表示され、撮影画像の下部には、横方向に表示されているキープ画像を縦方向に表示を変更するとき操作される表示切替ボタン１４３、表示されている画像を編集対象の画像として残しておくとき操作されるキープボタン１４４、表示されている画像を削除して再び撮影するとき操作されるとりなおしボタン１４５が、それぞれ表示されている。
【００８４】
撮影画像の右側には、シールに加工しないとき操作される写真風ボタン１４６、シールシートにプリントするとき操作されるシール風ボタン１４７が、それぞれ表示されている。写真風ボタン１４６およびシール風ボタン１４７の右側には、画像の明るさを調整するとき操作される光量アップボタン１４８、および光量ダウンボタン１４９が表示されている。光量アップボタン１４８、および光量ダウンボタン１４９の右側には、残り時間メータ１５０が表示されている。
【００８５】
ユーザがキープボタン１４４を操作すると、操作パネル１３には、例えば、図１６に示されるように、編集対象の画像として選択したキープ画像が表示される。図１６の表示例においては、キープ画像として、すでに３枚選択されているので、残り撮影可能枚数ウインドウ１６２に「残り１枚」と表示されている。また、操作パネル１３の左側には、削除ボタン１６１が表示されており、ユーザは、これを指で触れて選択することにより、選択したキープ画像を削除することができる。さらに、操作パネル１３の下部には、撮影終了ボタン１６３が表示されており、ユーザは、これを操作することで、キープ画像を４枚選択する前でも、次に進むことができる。操作パネルの右側には、残り時間メータ１５０が表示されている。
【００８６】
ステップＳ９において、制御装置５１は、明るさ調整画面（図１５）でとりなおしボタン１４５が操作されたか否かを判定する。制御装置５１は、操作パネル１３からの通知に基づいてとりなおしボタン１４５が操作されたと判定した場合、ステップＳ４に戻り、それ以降の処理を繰り返し実行する。
【００８７】
ステップＳ９において、ＣＰＵ１０１は、明るさ調整画面（図１５）でとりなおしボタン１４５が操作されていないと判定した場合、ステップＳ１０の処理に進む。
【００８８】
ステップＳ１０において、ＣＰＵ１０１は、明るさ調整画面（図１５）でキープボタン１４４が操作されたか否かを判定する。ＣＰＵ１０１は、キープボタン１４４が操作されたと判定した場合、ステップＳ１１において、キープすることが指示された撮影画像をキープ画像に追加する。
【００８９】
ステップＳ１２において、ＣＰＵ１０１は、残り撮影可能枚数が０か否か（４種類のキープ画像が選択されたか否か）を判定する。ＣＰＵ１０１は、残り撮影可能枚数が０でない（まだ撮影可能である）と判定した場合、処理をステップＳ４に戻し、それ以降の処理を繰り返し実行する。
【００９０】
ＣＰＵ１０１は、ステップＳ１２において、残り撮影可能枚数が０であると判定した場合、並びにステップＳ１０でキープボタン１４４が操作されていないと判定された場合、ステップＳ１３の処理に進む。
【００９１】
ステップＳ１３において、ＣＰＵ１０１は、操作パネル１３からの通知に基づいて、操作パネル１３に表示されている撮影終了ボタン１６３（図１６）が操作されたか否かを判定する。制御装置５１は、撮影終了ボタン１６３が操作されていないと判定した場合、ステップＳ８の処理に戻り、明るさ調整画面の表示を続ける。
【００９２】
ステップＳ１３において、ＣＰＵ１０１は、撮影終了ボタン１６３が操作されたと判定した場合、ステップＳ１４の処理に進む。また、ＣＰＵ１０１は、ステップＳ１２の処理で、残り撮影可能枚数が０と判定すると、ユーザに対して撮影終了ボタンしか操作できなくするので、この場合も処理はステップＳ１４に進む。
【００９３】
ステップＳ１４において、ＣＰＵ１０１は、操作パネル１３にメッセージを表示させ、編集空間１０Ｓにユーザが移動するように案内する。この案内に基づいて、ユーザは、筐体１０の前面の撮影空間から、後側の編集空間１０Ｓに移動し、落書き処理を行う。
【００９４】
ユーザは、それまで行っていた、写真シール販売機１の筐体１０の正面に設けられた操作パネル１３の操作を終了し、筐体１０の背面に移動すると、筐体１０の背面に設けられたパイプ３４を水平な状態にしてから、部材３３またはパイプ３４に腰掛ける。すなわち、パイプ３４は、簡易式の折り畳み椅子として機能する。
【００９５】
なお、パイプ３４は、断面が略円形であるが、断面を楕円形などにしたり、ユーザが座る部分にクッションを設けるなどすることにより、ユーザの座り心地をよくすることができる。また、パイプ３４が半楕円形である理由は、パイプ３４を水平の状態にしたとき、固定テーブル３１とパイプ３４との間にできるスペースが、パイプ３４が半円形である場合よりも大きく、ユーザがゆったりと座ることができるからである。また、上記においては、ユーザが、手動でパイプ３４を水平の状態にしたが、ステップＳ１５の処理が開始されるとき、ＣＰＵ１０１がパイプ３４を、水平の状態に自動的に回動するようにしてもよいことは言うまでもない。
【００９６】
次に、図１７のフローチャートを参照して、落書き処理について説明する。ユーザが部材３３およびパイプ３４に腰掛けた後、ステップＳ３１において、ＣＰＵ１０１は、テーブル駆動装置５５を制御して、回転テーブル３０を、例えば、時計方向に回転させる。なお、以下の処理においては、ユーザが３人である場合を想定する。
【００９７】
図１８に示されるように、固定テーブル３１の水平な上面には、相互に１２０度の角度の位置に、編集パネル６４−１、６４−２、６４−３が取り付けられている。タッチペン６３−１は、編集パネル６４−１に対応する位置に、タッチペン６３−２は、編集パネル６４−２に対応する位置に、タッチペン６３−３は、編集パネル６４−３に対応する位置にそれぞれ固定テーブル３１に取り付けられている。
【００９８】
回転テーブル３０には、相互に１２０度の角度の位置に、編集モニタ７０−１、７０−２、７０−３が設けられている。したがって、編集モニタ７０−１、７０−２、７０−３は、回転テーブル３０が水平に回転すると、回転することになる。編集モニタ７０−１、７０−２、７０−３の中心（回転テーブル３０の中心）には、落書き選択パネル１９０が配置されている。
【００９９】
各ユーザは、編集パネル６４−１、６４−２、または６４−３が正面にくる位置にすわる。したがって、編集パネル６４−１、６４−２、６４−３、並びにタッチペン６３−１、６３−２、６３−３は、各ユーザに専用のものとなる。
【０１００】
ステップＳ３２において、ＣＰＵ１０１は、図１８に示されるように、回転テーブル３０の中央に設けられた落書き選択パネル１９０にキープされた画像を表示させる。図１８においては、キープされた画像が３枚である場合が示されている。
【０１０１】
なお、回転テーブル３０は、円盤状であるため、それぞれのユーザは、部材３３およびパイプ３４に腰掛けた状態で、落書き選択パネル１９０に表示されたキープ画像の全てを同時に見ることができる。
【０１０２】
ステップＳ３２の処理の後、それぞれのユーザは、落書き選択パネル１９０に表示された画像にタッチペン６３で触れることにより、自分が落書きをしようとする画像を選択する。ＣＰＵ１０１は、ステップＳ３３において、各タッチペン６３−１乃至６３−３により選択された画像を対応する編集モニタ７０−１、７０−２、および７０−３に表示させる。換言すると、ＣＰＵ１０１は、タッチペン６３−１により触れられた画像を、そのときタッチペン６３−１に対応する編集パネル６４−１に対向している編集モニタ（編集パネル６４の中心から上流側の６０°までの位置と、下流側に６０°までの範囲にその中心が位置する編集モニタ７０）のモニタ６１（図１８の例の場合、モニタ６１−１）に表示させる。タッチペン６３−２、６３−３により触れられた画像も同様の規則でモニタに表示される。これにより、選択された画像が表示された状態で、モニタ６１−１乃至６１−３が回転する（選択された画像が回転する）。
【０１０３】
また、このとき、ＣＰＵ１０１は、編集パネル６４−１に、オーロラスタンプボタン１７１−１、ラインスタンプボタン１７２−１、虹色スタンプボタン１７３−１、背景ブラシボタン１７４−１、のびのびスタンプボタン１７５−１、スタンプボタン１７６−１、ふうせん回転スタンプボタン１７７−１、およびペンボタン１７８−１表示させる。編集パネル６４−２、６４−３にも同様に、オーロラスタンプボタン１７１−２、１７１−３、ラインスタンプボタン１７２−１、１７２−３、虹色スタンプボタン１７３−２、１７３−３、背景ブラシボタン１７４−２、１７４−３、のびのびスタンプボタン１７５−２、１７５−３、スタンプボタン１７６−２、１７６−３、ふうせん回転スタンプボタン１７７−２、１７７−３、およびペンボタン１７８−２、１７８−３がそれぞれ表示される。
【０１０４】
その後、ステップＳ３４乃至ステップＳ３９の処理が実行されるが、これらの処理は、各編集モニタ７０毎、および各編集パネル６４毎、独立に行われる（各ユーザ毎に独立に行われる）ので、以下においては、編集パネル６４−１（タッチペン６３−１）に対向して編集モニタ７０−１が位置するものとして、そこにおける処理を代表として説明する。
【０１０５】
ステップＳ３４において、表示プロセッサ６０−１は、ユーザが、編集パネル６４−１のペンボタン１７８−１を操作したか否かを判定する。
【０１０６】
ステップＳ３４において、表示プロセッサ６０−１が、ユーザが、ペンボタン１７８−１を操作したと判定した場合、処理はステップＳ３５に進む。
【０１０７】
ステップＳ３５において、表示プロセッサ６０−１は、ユーザにより、タッチペン６３−１が操作され、ユーザが選択した画像（モニタ６１−１に表示されている画像）に落書きが入力されたか否かを判定する。
【０１０８】
ステップＳ３５において、ユーザが選択した画像に落書きが入力されたと判定された場合、ステップＳ３６において、表示プロセッサ６０−１は、落書きされた位置の加工画像のデータを更新し、モニタ６１−１に表示させる。
【０１０９】
ステップＳ３４において、表示プロセッサ６０−１は、ユーザが、ペンボタン１７８−１を操作したと判定しなかった場合、処理はステップＳ４１に進む。ステップＳ４１において、表示プロセッサ６０−１は、ユーザが、編集パネル６４−１の編集ボタン（オーロラスタンプボタン１７１−１乃至ペンボタン１７８−１）を操作したか否かを判定する。
【０１１０】
なお、制御装置５１のＣＰＵ１０１は、回転テーブル３０が回転（編集モニタ７０が回転）しているとき、編集パネル６４の出力を対向する位置の編集モニタ７０の表示プロセッサ６０に供給するように制御している。
【０１１１】
ステップＳ４１において、表示プロセッサ６０−１は、ユーザが、編集パネル６４−１の編集ボタンを操作したと判定した場合、処理をステップＳ４２に進め、選択された編集ボタンの処理を実行する。
【０１１２】
例えば、編集パネル６４−１のオーロラスタンプボタン１７１−１が選択された場合、表示プロセッサ６０−１は、タッチペン６３−１が、編集モニタ７０−１（タッチパネル６２−１）に接触されている時間に応じて色を変化させ、編集モニタ７０−１（タッチパネル６２−１）からタッチペン６３−１を離したときに表示されている色のスタンプ画像を入力させるオーロラスタンプ処理を実行する。
【０１１３】
ラインスタンプボタン１７２−１が選択された場合、表示プロセッサ６０−１は、タッチペン６３−１の軌跡に従って画像が入力させるラインスタンプ処理を実行する。
【０１１４】
虹色スタンプボタン１７３−１が選択された場合、表示プロセッサ６０−１は、タッチペン６３−１の軌跡に従って、順次、異なる色により表示される画像を入力させる虹色スタンプ処理を実行する。
【０１１５】
背景ブラシボタン１７４−１が選択された場合、表示プロセッサ６０−１は、背景ブラシとして入力するテクスチャの一覧を表示させる背景ブラシ処理を実行する。
【０１１６】
のびのびスタンプボタン１７５−１が選択された場合、表示プロセッサ６０−１は、例えば、選択されている犬の画像を表示させるとき、タッチペン６３−１を接触させた位置に、犬の頭の部分の画像を配置し、タッチペン６３−１の軌跡に応じて、その胴体部分の画像がのびるように表示させるのびのびスタンプ処理を実行する。
【０１１７】
スタンプボタン１７６−１が選択された場合、表示プロセッサ６０−１は、スタンプ画像の一覧を表示させるスタンプ処理を実行する。ユーザは、一覧の中から新たなスタンプを選択することができる。
【０１１８】
ふうせん回転スタンプボタン１７７−１が選択された場合、表示プロセッサ６０−１は、タッチペン６３−１がタッチパネル６２−１に接触されている時間に応じてスタンプ画像を回転して表示させるふうせん回転スタンプ処理を実行する。
【０１１９】
ステップＳ４２において、選択された編集ボタンの処理が実行された後、ステップＳ４３において、表示プロセッサ６０−１は、編集処理された位置の加工画像のデータを更新し、モニタ６１−１に表示させる。
【０１２０】
ステップＳ３６、またはステップＳ４３の処理が終了した場合、ステップＳ４１において、表示プロセッサ６０−１が、編集ボタンが操作されなかったと判定された場合、およびステップＳ３５において、画像に落書きが入力されなかったと判定された場合、いずれも処理はステップＳ３７に進む。
【０１２１】
ステップＳ３７において、表示プロセッサ６０−１は、落書き処理をする画像を交換する時間が経過したか否かを判定する。例えば、落書きのための合計の時間が１２０秒であるとすると、前回の交換のときから４０秒が経過したか否かが判定される。ステップＳ３７において、落書き処理をする画像を交換する時間が、まだ、経過していないと判定された場合、処理はステップＳ３４に戻る。
【０１２２】
ステップＳ３７において、落書きをする画像を交換する時間が経過したと判定した場合、ステップＳ３８において、表示プロセッサ６０−１は、タッチペン６３−１と編集パネル６４−１の編集モニタ７０−１に対する対応付けを次の編集モニタ（図１８の例の場合、編集モニタ７０−２）に切り換える。
【０１２３】
すなわち、ステップＳ３１において、ＣＰＵ１０１が、テーブル駆動装置５５を制御して、回転テーブル３０の回転を開始させたとき、タッチペン、編集パネル、および編集モニタの組み合わせは、図１９のＡに示されるようになっている。すなわち、タッチペン６３−１、編集パネル６４−１で編集モニタ７０−１に表示される画像に落書き処理を行い、タッチペン６３−２、編集パネル６４−２で編集モニタ７０−２に表示される画像に落書き処理を行い、タッチペン６３−３、編集パネル６４−３で編集モニタ７０−３に表示される画像に落書き処理を行うようになっている。この状態から回転テーブル３０は、図１９において、時計方向に回転される。タッチペン、編集パネル、および編集モニタが上記の組み合わせである時間を第１の時間（図２０）と呼ぶことにする。
【０１２４】
ステップＳ３７において、落書き処理をする画像を交換する時間（第１の時間（図２０））が経過したと判定された場合、ステップＳ３８において、表示プロセッサ６０−１は、図１９のＢに示されるように、タッチペン６３−１、編集パネル６４−１で編集モニタ７０−２に表示される画像に落書き処理を行うように切り換えを行う。したがって、このとき、表示プロセッサ６０−２は、タッチペン６３−２、編集パネル６４−２で編集モニタ７０−３に表示される画像に落書き処理を行うように切り換えを行い、表示プロセッサ６０−３は、タッチペン６３−３、編集パネル６４−３で編集モニタ７０−１に表示される画像に落書き処理を行うように切り換えを行う。タッチペン、編集パネル、および編集モニタが上記の組み合わせである時間を第２の時間（図２０）と呼ぶことにする。
【０１２５】
ステップＳ３８の処理の後、ステップＳ３９において、表示プロセッサ６０−１は、予め設定された制限時間（例えば、１２０秒）が経過したか否かを判定する。ステップＳ３９において、予め設定された制限時間が経過していないと判定された場合、処理はステップＳ３４に戻り以降の処理を繰り返す。そして、再び、ステップＳ３７に進み、落書きする画像を交換する時間（第２の時間（図２０））が経過したと判定された場合、ステップＳ３８において、表示プロセッサ６０−１は、図１９のＣに示されるように、タッチペン６３−１、編集パネル６４−１で編集モニタ７０−３に表示される画像に落書き処理を行うように切り換えを行う。表示プロセッサ６０−２は、タッチペン６３−２、編集パネル６４−２で編集モニタ７０−１に表示される画像に落書き処理を行うように切り換えを行い、表示プロセッサ６０−３は、タッチペン６３−３、編集パネル６４−３で編集モニタ７０−２に表示される画像に落書き処理を行うように、切り換えを行う。タッチペン、編集パネル、および編集モニタが上記の組み合わせである時間を第３の時間（図２０）と呼ぶことにする。
【０１２６】
そして、処理は、再び、ステップＳ３９に進み、予め設定された制限時間が経過したか否かを判定する。ステップＳ３９において、再び、予め設定された制限時間が経過していないと判定された場合、処理はステップＳ３４に戻り以降の処理を繰り返し、これ以後、ステップＳ３７において落書きおよび編集処理をする画像を交換する時間、およびステップＳ３８において、タッチペン、および編集パネルを次の編集モニタに切り換える組み合わせは、第１の時間の組み合わせ、第２の時間の組み合わせ、第３の時間の組み合わせを繰り返すことになる。
【０１２７】
このようにして、例えば、ステップＳ３９における予め設定された制限時間を１２０秒とし、ステップＳ３７における落書きおよび編集処理をする画像を交換する時間を４０秒に設定したとすると、それぞれのユーザは、図１９のＡの状態で落書きおよび編集処理を開始した後、図１９のＢの状態で落書きおよび編集処理を行い、図１９のＣの状態で落書きおよび編集処理を行った後、制限時間が終了する。すなわち、この場合、選択された３つの画像に対して、それぞれのユーザは、１回ずつ同じ時間だけ落書き処理を行うことができる。したがって、各ユーザは、３つの画像のいずれにも落書きを確実に入力することができる。すなわち、各ユーザに平等に落書きの機会が与えられる。
【０１２８】
また、例えば、ステップＳ３９における予め設定された制限時間を１２０秒とし、ステップＳ３７における落書き処理をする画像を交換する時間を３０秒に設定したとすると、それぞれのユーザは、図１９のＡの状態で落書き処理を開始した後、図１９のＢの状態、図１９のＣの状態を経て、再び、図１９のＡの状態で落書き処理を行った後、制限時間が終了する。すなわち、この場合、それぞれのユーザは、選択された３つの画像に対して、１回ずつ落書き処理を行った後、最後に再び、最初に自分が選択し、かつ、他のユーザが落書き入力した画像に対して、落書き処理を行うことができる。
【０１２９】
勿論、ステップＳ３９における制限時間、およびステップＳ３７における落書き処理をする画像を交換する時間の時間設定は、任意である。したがって、例えば、投入される代金によって、回転テーブル３０を２回転させたり、回転テーブル３０を回転させる時間をゆっくりとすることもできる。
【０１３０】
ステップＳ３９において、予め設定された制限時間が経過したと判定した場合、ステップＳ４０において、ＣＰＵ１０１は、テーブル駆動装置５５を制御して、回転テーブル３０の回転を停止させ、落書き処理は終了する。
【０１３１】
なお、上記においては、回転テーブル３０に編集モニタ７０−１、７０−２、および７０−３の３つの編集モニタを表示させ、３人のユーザで落書き処理を行う場合について説明したが、回転テーブル３０に４つ、５つといった複数の編集モニタを表示させ、４人、５人といった複数の人数で落書き処理を行えるようにしてもよいことはいうまでもない。
【０１３２】
また、回転テーブル３０が、円盤状の場合を例に説明したが、回転テーブル３０は、円盤状に限るものではなく、例えば、傾斜した面（円錐台形状）とし、その側面に編集モニタ７０を設けるようにしてもよい。
【０１３３】
さらに、ステップＳ３７において、落書き、および編集処理をする画像を交換する場合において、第１の時間、第２の時間、第３の時間というように、時間を基準として、落書き処理をする画像を交換したが、例えば、回転テーブル３０にパルス発生器を設け、回転テーブル３０の回転位置を検出し、その回転位置を基準として、落書き処理をする画像を交換するようにしてもよい。
【０１３４】
また、回転テーブル３０を連続的に回転させるようにしたが、図１９のＡの位置からＢの位置に高速で回転させ、一定の時間が経過したら、Ｂの位置からＣの位置まで高速で回転させるといったように、間欠的に回転させてもよい。
【０１３５】
さらに、回転テーブル３０を物理的に回転するのではなく、表示されている画像だけが回転するように所定時間毎に表示画像を切り換えるようにしてもよい。要は、回転する編集モニタ７０に対して、編集パネル６４（タッチペン６３）が相対的に固定されていればよい。また、１つのタッチペン６３を配置するようにしたが、１つの編集パネル６４に対して２つ以上のタッチペン６３を配置するようにしてもよい。
【０１３６】
以上のようにして、ステップＳ１５の落書き処理が終了した後、ステップＳ１６において、表示プロセッサ６０−１、６０−２、６０−３は、それぞれのモニタ６１−１、６１−２、および６１−３に、例えば、図２１に示されるような、「７×４」、「上半分２×２と下半分３×４の組み合わせ」の分割数選択画面を表示させる。ユーザは、好みの分割数（プリントサイズ）のシートをタッチペン６３−１、６３−２、６３−３で触れて選択することができる。ＣＰＵ１０１は、それぞれの編集モニタ７０−１、７０−２、および７０−３からの通知に基づいて、プリンタユニット５６にプリントするシート（写真シートまたはシールシート）を指示する。
【０１３７】
なお、矛盾した指示が発生しないようにするために、分割数選択画面は、１つの編集モニタ７０においてのみ表示させ、受け付けさせるようにしてもよい。
【０１３８】
ステップＳ１７において、プリンタユニット５６は、ＣＰＵ１０１からの指示に基づいて、落書き処理がされた画像をステップＳ１６において選択された分割数で写真シート（シールシート）に印刷処理する。印刷処理された写真シートは、ステップＳ１８で筐体１０の右側面１０Ｅに設けられたシール取出口１９から排出される。その後、処理はステップＳ１に戻る。
【０１３９】
本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０１４０】
【発明の効果】
本発明によれば、複数のユーザに平等に落書きの機会を与えることができる。
【図面の簡単な説明】
【図１】本発明を適用した写真シール販売機の外観の構成例を示す斜視図である。
【図２】図１の写真シール販売機の縦断面の構成を示す断面図である。
【図３】図１の写真シール販売機の背面の構成を示す背面図である。
【図４】図１の写真シール販売機の上面の構成を示す上面図である。
【図５】図１の写真シール販売機の電気的構成例を示すブロック図である。
【図６】図５の制御装置の構成例を示すブロック図である。
【図７】図１の写真シール販売機の印刷処理を説明するフローチャートである。
【図８】図１の写真シール販売機の印刷処理を説明する図７に続くフローチャートである。
【図９】デモ画面の表示例を示す図である。
【図１０】説明画面の表示例を示す図である。
【図１１】取り込み画像の例を示す図である。
【図１２】キープ画像が表示されている例を示す図である。
【図１３】撮影画面の例を示す図である。
【図１４】印刷写真選択画面の例を示す図である。
【図１５】明るさ調整画面の例を示す図である。
【図１６】図１５のキープボタンが操作されたときに表示される画面の例を示す図である。
【図１７】図８のステップＳ１５の落書き処理を説明するフローチャートである。
【図１８】回転テーブルと固定テーブルに画像が表示されている状態を示す図である。
【図１９】回転テーブルの回転にともなう編集モニタの切り換わりを説明する図である。
【図２０】回転テーブルが回転することにより切り換わるタッチペンおよび編集パネルと編集モニタとの対応関係を示す図である。
【図２１】分割選択画面の例を示す図である。
【符号の説明】
１　写真シール販売機
１４　カメラ
１６　撮影装置
５６　プリンタユニット
６３−１、６３−２、および６３−３　タッチペン
６４−１、６４−２、および６４−３　編集パネル
７０−１、７０−２、および７０−３　編集モニタ
【図１】
2004126405.tif 000003
【図２】
2004126405.tif 000004
【図３】
2004126405.tif 000005
【図４】
2004126405.tif 000006
【図５】
2004126405.tif 000007
【図６】
2004126405.tif 000008
【図７】
2004126405.tif 000009
【図８】
2004126405.tif 000010
【図９】
2004126405.tif 000011
【図１０】
2004126405.tif 000012
【図１１】
2004126405.tif 000013
【図１２】
2004126405.tif 000014
【図１３】
2004126405.tif 000015
【図１４】
2004126405.tif 000016
【図１５】
2004126405.tif 000017
【図１６】
2004126405.tif 000018
【図１７】
2004126405.tif 000019
【図１８】
2004126405.tif 000020
【図１９】
2004126405.tif 000021
【図２０】
2004126405.tif 000022
【図２１】
2004126405.tif 000023